(57)【要約】【課題】使用時に効率よく芳香を発生させることのできる紙管及び当該紙管を使用したロール状シートを提供する。【解決手段】ロール状シートの芯となる紙管３０において、紙管原紙からなる原紙層３１と、原紙層３１の内面に形成された香料含有層４０を有し、香料含有層４０は、香料を内包して、所定の接触刺激を受けた際に破裂するマイクロカプセル４２を備え、マイクロカプセル４２は、原紙層３１内面に一部が露出した状態で固定されることを特徴とする。【選択図】図３
2015168500.tif 000002
【特許請求の範囲】
【請求項１】
ロール状シートの芯となる紙管において、
紙管原紙からなる原紙層と、前記原紙層の内面に形成された香料含有層を有し、
前記香料含有層は、香料を内包して、所定の接触刺激を受けた際に破裂するマイクロカプセルを備え、
前記マイクロカプセルは、前記原紙層内面に一部が露出した状態で固定されることを特徴とする紙管。
【請求項２】
前記香料含有層は、紙管の回転軸方向両端部に、回転軸方向の幅２０〜４０ｍｍに亘って形成されることを特徴とする、請求項１に記載の紙管。
【請求項３】
前記香料含有層は、接着層を備え、
前記マイクロカプセルは、前記接着層を介して前記原紙層に固定されることを特徴とする請求項１又は２に記載の紙管。
【請求項４】
前記香料含有層は網点状又は紙管の回転方向に断続的に形成されることを特徴とする、請求項１〜３の何れか１項に記載の紙管。
【請求項５】
請求項１〜４の何れか１項に記載の紙管と、
前記紙管を芯として捲回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレットロールにおいて、トイレットペーパーが巻かれる紙管またはトイレットペーパー自体に香料を付与したものが知られている。香り付きトイレットロールにおいては、使用中の香りの持続性の他に、使用開始までは香料が揮発しない性能(以下、保香性)が要求される。
【０００３】
しかし、トイレットロールは製造後に複数個まとめてポリエチレンやポリプロピレン等からなる包装フィルムで包装された状態で出荷され、消費者に使用されるまでにはかなりの時間を要するため、使用時に香りが弱くなるという問題があった。また、倉庫保管時または店頭陳列時等に他製品へ臭気が影響するという問題もあった。
【０００４】
そこで、例えば、ロール状シートの紙管において、揮発性の芳香物質及び／又は消臭物質を内包するマイクロカプセルが混入され、シートが引き出される際など所定の荷重がロール状シートを保持するホルダーから付与された際に、マイクロカプセルが破裂して芳香物質や消臭物質が発散するものが提案されている（例えば、特許文献１参照）。特許文献１の発明によれば、香料が常時発散しないため、芳香や消臭効果の持続性が高い。
【先行技術文献】
【特許文献】
【０００５】
【特許文献１】特開２００９−２４２０６５号公報
【発明の概要】
【発明が解決しようとする課題】
【０００６】
しかしながら、上記特許文献１に記載の発明では、ロール状シートを支えるホルダーの形状によっては、紙管に混入したマイクロカプセルにマイクロカプセルが破裂するほどの荷重が付与されず、芳香物質や消臭物質の多くが発散されずに残ってしまうことがある。
【０００７】
本発明の主たる課題は、使用時に効率よく芳香を発生させることのできる紙管及び当該紙管を使用したロール状シートを提供することにある。
【課題を解決するための手段】
【０００８】
上記課題を解決するために、請求項１に記載の発明は、
ロール状シートの芯となる紙管において、
紙管原紙からなる原紙層と、前記原紙層の内面に形成された香料含有層を有し、
前記香料含有層は、香料を内包して、所定の接触刺激を受けた際に破裂するマイクロカプセルを備え、
前記マイクロカプセルは、前記原紙層内面に一部が露出した状態で固定されることを特徴とする。
【０００９】
請求項２に記載の発明は、請求項１に記載の紙管において、
前記香料含有層は、紙管の回転軸方向両端部に、回転軸方向の幅２０〜４０ｍｍに亘って形成されることを特徴とする。
【００１０】
請求項３に記載の発明は、請求項１又は２に記載の紙管において、
前記香料含有層は、接着層を備え、
前記マイクロカプセルは、前記接着層を介して前記原紙層に固定されることを特徴とする。
【００１１】
請求項４に記載の発明は、請求項１〜３の何れか１項に記載の紙管において、
前記香料含有層は網点状又は紙管の回転方向に断続的に形成されることを特徴とする。
【００１２】
請求項５に記載の発明は、ロール状シートにおいて、
請求項１〜４の何れか１項に記載の紙管と、
前記紙管を芯として捲回されたシートと、を備えることを特徴とする。
【発明の効果】
【００１３】
本発明によれば、紙管内面にマイクロカプセルの一部が露出しているので、紙管を支えるホルダーの接触等により刺激を受けた時にマイクロカプセルが確実に破裂し、内包する香料が揮発することとなって、使用時に効率よく芳香を発生させることができる。
【図面の簡単な説明】
【００１４】
【図１】本発明のロール状トイレットペーパーの斜視図である。
【図２】本発明の紙管の断面図である。
【図３】本発明の紙管の一実施形態の斜視図（ａ）及び断面（ｂ）である。
【図４】本発明の香料含有層の形成例を示す斜視図である。
【発明を実施するための形態】
【００１５】
以下、図を参照して、本発明に係る紙管及び当該紙管を使用したロール状シートについて詳細に説明する。なお、発明の範囲は図示例に限定されない。
本実施の形態では、シートとしてトイレットペーパーを例示し、ロール状シートとしてロール状トイレットペーパーを例示して、説明することとする。
【００１６】
＜ロール状トイレットペーパー＞
ロール状トイレットペーパー１０は、例えば、図１に示すように、紙管３０と、紙管３０を芯として捲回されたトイレットペーパー２０と、を備えて構成され、紙管３０内にペーパーホルダーの支持部を挿入した状態で、トイレットペーパー２０を引き出して使用するのが一般的である。
ロール状トイレットペーパー１０の大きさは特に限定されないが、直径１００〜１２０ｍｍ、幅１００〜１１５ｍｍ、紙管径３５〜５０ｍｍのものが一般的であり、本発明においても好適である。
【００１７】
トイレットペーパー２０を構成する原紙は、原料パルプを主原料とする薄葉紙用抄紙原料により製造できる。その原料パルプは、特に限定されるものではなく、トイレットペーパー２０の具体的な用途に応じて適宜の原料パルプを選択し、また適宜配合して使用することができる。
【００１８】
また、トイレットペーパー２０のプライ数及び坪量は、その用途によって適宜調整することができるが、プライ数が１プライから３プライ、全体での紙厚が１００〜２７０μｍ、坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなるとともに、ゴワ付き感が生じてしまい肌触りが悪くなる。なお、坪量の測定方法としては、例えば、ＪＩＳ  Ｐ８１２４に準じた方法等が挙げられる。
【００１９】
＜紙管＞
紙管３０は、例えば、図２に示すように、略中空円筒形状をなし、紙管原紙からなる原紙層３１と、原紙層３１の内面に配置された香料含有層４０と、を有している。
【００２０】
原紙層３１は、例えば、２枚の紙管原紙がともに螺旋状に巻かれて接着剤で貼り合わされた二層積層構造のスパイラル紙管、平巻き紙管を用いることができる。好ましくは、米坪１２０〜２２０ｇ／ｍ２、紙厚１５０〜５００μｍの紙管原紙を螺旋状に巻いて二層積層構造にしたスパイラル紙管が紙管３０の強度及び後述の香料含有層４０の強度を確保しやすい。
なお、原紙層３１は、１枚の紙管原紙からなる層であっても良いし、３枚以上の紙管原紙を貼り合わせてなる層であっても良い。
【００２１】
＜香料含有層＞
香料含有層４０は、図２に示すように、接着剤からなる接着層４１と、接着層４１によって紙管３０の内面に固定された香料入りのマイクロカプセル４２と、を有している。
紙管３０の回転軸方向両端部のみを支える形状のホルダーは、通常、紙管３０の回転軸方向の長さが３０ｍｍ程度である。そこで、図３に示すように、紙管３０の回転軸方向両端部に、回転軸方向の幅２０〜４０ｍｍに亘って香料含有層４０を形成すると、添加した香料が使用時に無駄なく揮発されることとなり、経済的である。
【００２２】
香料をマイクロカプセル４２に封入して塗布することにより、紙管３０に香料を直接塗布する場合に比して、香料が常時発散するのを抑えることができ、徐放性が高まるという効果がある。
また、マイクロカプセル４２は、一部が露出するように接着層４１に固定されているため、紙管３０を支えるホルダーの接触などにより刺激を受けた時にマイクロカプセル４２が確実に破裂するようになっている。
【００２３】
マイクロカプセル４２の素材は任意であるが、具体的には、例えば、メラミン樹脂、ウレタン樹脂、尿素樹脂、ゼラチン、寒天、各種天然ゲル化剤等である。
通常、香料は疎水性であるため、製造の容易さ等の観点から、マイクロカプセル４２には疎水性の素材を用いると好適である。
【００２４】
マイクロカプセル４２の平均粒径が大きいほど、多くの香料を内包できるため徐放性が高いという効果が得られるが、製造加工中の壊れにくさ、塗布のしやすさ等の製造上の問題が生じる。マイクロカプセル４２の素材及び内包する香料の種類に応じて、十分な芳香効果が得られ、かつ、操業性の良い大きさのものを適宜選択すると良く、具体的には、マイクロカプセル４２の平均粒径は１０〜２０μｍの範囲が好ましい。
ここで、「平均粒径」とは、粉状または粒状である原料物質の各粒子の粒径を平均した値をいうが、全原料物質を母集団とする統計指標としての平均を意味することは勿論である。つまり、母集団（全原料物質）から適当なサンプル（各粒子）を抽出し、このサンプルの粒径を測定して算術平均した値を「平均粒径」とする。統計的手法により求める値であるから測定ごとに値が変動する可能性があることはいうまでもない。
【００２５】
マイクロカプセル４２は、所定の閾値を超える荷重が付与されると破裂する。具体的には、トイレットペーパー２０を引き出す際に紙管３０の内面とホルダーが接触することによってマイクロカプセル４２が壊れ、内包する香料が揮発する程度の強度のものが好ましい。
なお、マイクロカプセル４２の大きさ及び強度は全て同一ではなく、一度のわずかな接触で破壊されるものから複数回の接触を経て破壊されるものまでが混合されていると、より長期間に亘って芳香を維持することができるため好適である。
【００２６】
マイクロカプセル４２に内包される香料は、芳香を有する揮発性の物質であれば任意であるが、揮発しやすさなどの観点から、香りのピラミッドでトップノートに分類される揮発性の高い香料が好ましい。
香りのピラミッドとは、香料を揮発度によって、トップノート、ミドルノート及びベースノート（ラストノート）の３つに分類する手法である。具体的には、保留性が小さく揮発度の高い香料はトップノートに属し、中間の揮発度と保留性を持つ香料はミドルノートに属し、揮発度が低く保留性の大きい香料はベースノートに属する。
【００２７】
マイクロカプセル４２に内包される香料は、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００２８】
また、マイクロカプセル４２は、消臭物質を内包しても良い。内包される消臭物質は、臭い成分を分解、中和、吸着等して除去できる揮発性の物質であれば任意である。
具体的には、例えば、緑茶等より抽出されたフラボノイド系化合物を含有する消臭物質、オオバコ、ムジナオオバコ、ヘラオオバコの中から選択された少なくとも一種以上のオオバコ科植物の全草抽出物を含有する消臭物質、マメ科クララ属植物に含まれる消臭作用を有する成分を有効成分とする消臭物質、ひのき油や、ひば油、杉油、芳油、樟脳油などを構成成分とする消臭物質等である。
【００２９】
マイクロカプセル４２に内包する香料の添加量および紙管３０へのマイクロカプセル４２の塗布量は、香料の揮発性や残香性、コスト等に応じて適宜任意に変更可能である。
【００３０】
接着層４１は、例えば、ウレタン樹脂、ポリオレフィン系樹脂、ハロゲン化樹脂、ポリ酢酸ビニル、塩化ビニル-酢酸ビニル系共重合体等により形成される。
【００３１】
また、マイクロカプセル４２が疎水性の場合には、接着層４１として疎水性樹脂を用いると、マイクロカプセル４２が接着層４１から脱落し難いため好ましい。同様の理由により、マイクロカプセル４２が水溶性の場合には、接着層４１として水溶性樹脂を用いると好ましい。
【００３２】
接着層４１の厚みが厚いほど、ホルダーと紙管３０の内面との間の摩擦抵抗が増加するため、マイクロカプセル４２の破壊効率が上昇するという効果が得られる。一方、接着層４１が厚すぎる場合は、ホルダーと紙管３０の内面と間の摩擦抵抗が高まりすぎてマイクロカプセル４２が接着層４１ごと脱落したり、マイクロカプセル４２の全体が接着層４１に覆われて、ホルダーとの接触によって破壊され難かったり、破壊されても香料が接着層４１内部に閉じ込められて揮発し難い可能性がある。これらを加味して、接着層４１の平均厚みは２０μｍ以下であることが好ましく、マイクロカプセル４２の平均粒径以下とするとさらに好適である。
【００３３】
接着層４１を、紙管３０の回転方向に断続的（図４（ａ））或いは網点状（図４（ｂ））に形成すると、接着層の有無に応じて、ホルダーと紙管３０内面との間の摩擦抵抗に差が生じる。そのため、使用時の紙管３０の回転に伴ってホルダーが香料含有層４０により強く衝突することとなり、マイクロカプセル４２が破壊されやすいため、効率よく香料を揮発させることができる。
【００３４】
以上説明した実施の形態における紙管３０及び紙管３０を使用したロール状トイレットペーパー１０によれば、香料がマイクロカプセル４２に内包されて原紙層３１の内面に固定されているため、保香性が高い。
また、マイクロカプセル４２の塗布面が紙管３０の内面なので、塗布する際に壊れたり輸送時の振動などで脱落し難い範囲内であれば、平均粒径が１０〜２０μｍという大きなマイクロカプセルを付与することができる。その結果、香料を多く内包して高い芳香効果を得ることができ、徐放性も高い。
そして、トイレットペーパー２０を引きだす際にマイクロカプセル４２にホルダーが直接接触することにより、マイクロカプセル４２は効率よく破壊され、トイレットペーパー２０の使用直後には新鮮な芳香が特に強く発生するという効果が得られる。
【００３５】
＜実施例＞
次に、実施例及び比較例を挙げて、本発明をより具体的に説明する。
市販の香料を内包したメラミン樹脂製のマイクロカプセル４２（平均粒径約１０μｍ）のスラリーを、水で２倍に希釈した酢酸ビニル樹脂エマルジョン接着剤に混合し、刷版を用いたフレキソ印刷によって紙管原紙に塗布して、香料含有層４０を形成した。接着層４１の平均厚みは、約１０μｍであった。香料含有層４０は、紙管３０の回転軸方向両端部に、回転軸方向の幅３５ｍｍに亘って、網点状に形成した。
【００３６】
表１に示すように、フレキソ版の線数及び網点面積率を調整したサンプル（実施例１〜３、比較例１〜５）を作成し、操業性及び香りの強さを評価した。
操業性は、目詰まり・ベタ塗りになっていないか、塗布ムラがないか、塗布箇所の一部が塊となっていないかについて、〇：操業性問題なし、△：操業性やや問題あり、×：操業性問題あり、の３段階で評価した。なお、線数が多すぎる場合には、目詰まりしてベタ塗りの状態となり易く、線数が少なすぎる場合には、均一に塗布できずに塗布ムラが発生し易くなる。
香りの強さは、ホルダーに設置したロール状トイレットペーパー１０からトイレットペーパー２０を５ピッチ程度引き出した直後に、ホルダー付近において、◎香りを強く実感する、〇：香りを実感する、△：香りをやや実感する、×：香りを実感できない、の４段階で評価した。
【００３７】
【表１】
2015168500.tif 000003
【００３８】
表１に示すように、線数が１０である比較例２においては、塗布ムラが発生しやすく、塗布箇所の一部が塊となった。線数が１５〜２０、且つ、面積率が２０〜２５％である実施例１〜３においては、操業性に問題がなかったが、比較例１のように、線数が２０であっても面積率が１５％と小さい場合には、塗布ムラが発生しやすく、塗布箇所の一部が塊となった。線数が２５である比較例３においては、やや目詰まりの傾向が見られ、さらに線数が多い比較例４、５（線数＝３０）においては、目詰まりしてベタ塗りに近い塗布状態となった。
【００３９】
面積率が１５％である比較例１においては、芳香効果が弱いという結果が得られた。面積率が２０〜２５％である実施例１〜３及び比較例２〜５においては、いずれも香りを実感することができたが、塗布ムラが発生したりベタ塗りとならずに網点状に塗布された実施例１〜３においては、特に強く香りを実感することができた。
【００４０】
以上より、本実施例の香料含有層４０においては、線数を１５〜２０、且つ、面積率を２０％以上とすることにより、塗布ムラや目詰まりを起こすことなく、網点状に香料含有層４０を塗布することができる。香料含有層４０を網点状に塗布することで、全面に一様に塗布するよりも高い芳香効果を得ることができる。
【００４１】
なお、本発明は、上記実施形態のものに限るものではなく、その要旨を逸脱しない範囲で適宜変更可能である。
接着層４１とマイクロカプセル４２は、接着剤とマイクロカプセル４２を予め混合したものを噴霧又は塗布しても良いし、原紙層３１に接着剤を噴霧または塗布して接着層４１を形成した後で、マイクロカプセル４２を噴霧又は塗布して接着しても良い。
マイクロカプセル４２は、接着層４１を介することなく、熱融着等によって原紙層３１の内面に固定されても良い。
【符号の説明】
【００４２】
１０            ロール状トイレットペーパー（ロール状シート）
２０            トイレットペーパー（シート）
３０            紙管
３１            原紙層
４０            香料含有層
４１            接着層
４２            マイクロカプセル
【図１】
2015168500.tif 000004
【図２】
2015168500.tif 000005
【図３】
2015168500.tif 000006
【図４】
2015168500.tif 000007